(57)【要約】【課題】搬送中における身と蓋との分離を抑えることが可能な収容箱、及び該収容箱用紙材を提供する。【解決手段】収容箱１０は、有底の多角筒状をなすトレイ２０と、有蓋の多角筒状をなしてトレイ２０を覆うカバー５０とを備え、トレイ２０の筒状部２２を構成する身側面壁２５と、カバー５０の筒状部５２を構成して身側面壁２５に対向する蓋側面壁５５とがホットメルトからなる２つの接着部４５によって接着される。身側面壁２５は、接着部４５に接する部位であって該身側面壁２５の外縁よりも内側に配置される切れ目線によって仕切られた身側仕切り部３５を含み、蓋側面壁５５は、接着部４５に接する部位であって該蓋側面壁５５の外縁よりも内側に配置される切れ目線によって仕切られた蓋側仕切り部６５を含む。【選択図】図１
2014040253.tif 000002
【特許請求の範囲】
【請求項１】
有底多角筒状の身と、有蓋多角筒状の蓋とを備え、
前記身及び前記蓋の一方の筒状部が他方の筒状部の内側に配置されており、
前記身の筒状部の一側壁である身側接合壁と、前記蓋の筒状部の一側壁であって前記身側接合壁に対向する蓋側接合壁とが接着剤からなる２以上の接着部によって接着され、
前記身側接合壁は、前記接着部に接する部位であって該身側接合壁の外縁よりも内側に形成される切れ目線によって仕切られた身側仕切り部を含み、
前記蓋側接合壁は、前記接着部に接する部位であって該蓋側接合壁の外縁よりも内側に形成される切れ目線によって仕切られた蓋側仕切り部を含む
ことを特徴とする収容箱。
【請求項２】
前記接着部が、前記身側接合壁の底縁が延びる方向に並んでいる
請求項１に記載の収容箱。
【請求項３】
前記身側仕切り部が、前記身側接合壁の底縁に沿って延びる矩形状をなし、
前記蓋側仕切り部が、前記蓋側接合壁の底縁に沿って延びる矩形状をなしている
請求項１または２に記載の収容箱。
【請求項４】
前記身側仕切り部が、前記２以上の接着部に対して各別に形成され、
前記蓋側仕切り部が、前記２以上の接着部に対して各別に形成されている
請求項１〜３のいずれか一項に記載の収容箱。
【請求項５】
前記接着部は、前記身側接合壁の底縁の中央に対する両側に配設されている
請求項１〜４のいずれか一項に記載の収容箱。
【請求項６】
前記身側接合壁及び前記蓋側接合壁のうちで外側に配置される接合壁には、当該接合壁の仕切り部に隣接する位置に当該仕切り部を仕切る切れ目線に連続する切れ目によって貫通孔が形成されており、
前記身側接合壁及び前記蓋側接合壁のうちで内側に配置される接合壁の仕切り部が、前記貫通孔を通じて露出している
請求項１〜５のいずれか一項に記載の収容箱。
【請求項７】
前記身側接合壁と前記蓋側接合壁とが２つの接着部で接合され、
前記身側接合壁には、該身側接合壁の底縁に沿って延びる身側仕切り部が前記２つの接着部に対して各別に形成され、
前記蓋側接合壁には、該蓋側接合壁の底縁に沿って延びる蓋側仕切り部が前記２つの接着部に対して各別に形成され、
前記身側接合壁及び前記蓋側接合壁のうちで外側に配置される接合壁には、２つの仕切り部の間に前記貫通孔が形成されている
請求項６に記載の収容箱。
【請求項８】
前記身側接合壁及び前記蓋側接合壁のうちで内側に配置される接合壁では、仕切り部が、互いに異なる方向に延びる切れ目が交互に配置され、且つ互いに隣接する前記切れ目が離れている鋸歯状の切れ目線によって仕切られている
請求項１〜７のいずれか一項に記載の収容箱。
【請求項９】
有底多角筒状の身と有蓋多角筒状の蓋とを備え、前記身及び前記蓋の一方の筒状部が他方の筒状部の内側に配置された状態で、互いの筒状部の一側壁である接合壁が接着剤からなる２以上の接着部によって接着されてなる収容箱に用いられ、前記身あるいは前記蓋を形成するための収容箱用紙材であって、
前記接合壁となるシート片は、前記接着部の接する部位であって該シート片の外縁よりも内側に形成される切れ目線によって仕切られた仕切り部を含む
ことを特徴とする収容箱用紙材。
【発明の詳細な説明】
【技術分野】
【０００１】
本開示の技術は、有底多角筒状の身と有蓋多角筒状の蓋とで構成される収容箱、及び該収容箱に用いられる収容箱用紙材に関する。
【背景技術】
【０００２】
従来から、流通の過程にある商品等を収容するとともに、該商品等を展示するための箱体としても機能する収容箱が知られている。特許文献１に記載の収容箱は、有底の四角筒状を呈した身としてのトレイと、有蓋の四角筒状を呈した蓋としてのカバーとから構成されている。この収容箱は、トレイ及びカバーの底縁が互いに隣接するように、トレイの筒状部がカバーの筒状部によって覆われている。
【０００３】
トレイの筒状部を構成する一側壁である身側面壁には、切り取り用の切れ目線で囲まれた分離部が形成されている。一方、カバーの筒状部を構成する一側壁である蓋側面壁には、開封部が形成されている。開封部は、蓋側面壁の底縁から頂縁に向かって延びる２本の切り取り用の切れ目線によって挟まれた部位である。そして、トレイとカバーは、身側面壁の分離部と蓋側面壁の開封部とが接着されることで収容箱を構成する。上述した構成の収容箱では、蓋側面壁の底縁から頂縁に向かって開封部が捲り上げられる開封操作がなされると、この開封部と共に分離部が身側面壁から切り取られてトレイとカバーとが分離可能となる。
【先行技術文献】
【特許文献】
【０００４】
【特許文献１】実用新案登録第３１７５４１４号公報
【発明の概要】
【発明が解決しようとする課題】
【０００５】
ところで、上述した収容箱では、例えばコンベアーによる搬送時に収容箱をガイドするガイド部材が開封部の底縁に引っ掛かったり、作業者による搬送時に作業者の指が開封部の底縁に引っ掛かったりすることがある。この際、収容箱には、開封部を捲り上げるようとする力が作用する。また、収容箱には、搬送時における振動や衝撃によって身側面壁と蓋側面壁とをずらそうとする力が作用する。これらの力はトレイとカバーとを分離させようとする力であり、また、収容箱の内容物が重くなるほど大きくなるため、内容物が重くなるほど搬送中にトレイとカバーとが誤って分離されてしまう可能性が高くなる。そのため、トレイとカバーとが誤って分離されることの抑えられた収容箱が強く望まれている。
【０００６】
本開示の技術は、搬送中における身と蓋との分離を抑えることが可能な収容箱、及び該収容箱用紙材を提供することを目的とする。
【課題を解決するための手段】
【０００７】
本開示における収容箱の一態様は、有底多角筒状の身と、有蓋多角筒状の蓋とを備え、前記身及び前記蓋の一方の筒状部が他方の筒状部の内側に配置されており、前記身の筒状部の一側壁である身側接合壁と、前記蓋の筒状部の一側壁であって前記身側接合壁に対向する蓋側接合壁とが接着剤からなる２以上の接着部によって接着され、前記身側接合壁は、前記接着部に接する部位であって該身側接合壁の外縁よりも内側に形成される切れ目線によって仕切られた身側仕切り部を含み、前記蓋側接合壁は、前記接着部に接する部位であって該蓋側接合壁の外縁よりも内側に形成される切れ目線によって仕切られた蓋側仕切り部を含む。
【０００８】
また、本開示における収容箱用紙材の一態様は、有底多角筒状の身と有蓋多角筒状の蓋とを備え、前記身及び前記蓋の一方の筒状部が他方の筒状部の内側に配置された状態で互いの筒状部の一側壁が接着剤からなる２以上の接着部によって接着されてなる収容箱に用いられ、前記身あるいは前記蓋を形成するための収容箱用紙材であって、前記接合壁となるシート片は、前記接着部の接する部位であって該シート片の外縁よりも内側に形成される切れ目線によって仕切られた仕切り部を含む。
【０００９】
本開示における収容箱及び収容箱用紙材の一態様によれば、上記身側仕切り部及び蓋側仕切り部は、開封前の収容箱において接着部を介して互いに接着されている部位であり、また、収容箱の開封時に作業者によって操作されることで、接着状態が維持されたまま切れ目線に沿って破断する部位である。そして、身側仕切り部は、身の一側壁である身側接合壁の外縁よりも内側に配置された切れ目線、すなわち外縁に到達しない切れ目線によって仕切られている。同様に、蓋側仕切り部も、蓋の一側壁である蓋側接合壁の外縁よりも内側に配置された切れ目線、すなわち外縁に到達しない切れ目線によって仕切られている。そのため、例えば外側に配置される接合壁の仕切り部が該接合壁の底縁まで延びている切れ目線によって仕切られている場合に比べて、コンベアーのガイド部材や作業者の手などが仕切り部に誤って引っ掛かる機会が少なくなる。
【００１０】
また、身側接合壁と蓋側接合壁とが２以上の接着部で接合されていることから、例えば身側接合壁と蓋側接合壁とをずらすような力が収容箱に作用しても、その力が、２以上の接着部に分散される。
【００１１】
つまり、上述した構成によれば、身と蓋とを分離させる力が仕切り部に対して直接的に作用することが抑えられるとともに、その力が一対の接合壁の間で２以上の接着部に分散される結果、搬送中における身と蓋の分離が抑えられる。
【００１２】
本開示における収容箱の他の態様は、前記接着部が、前記身側接合壁の底縁が延びる方向に並んでいる。
本開示における収容箱の他の態様によれば、例えば底縁の延びる方向に直交する方向に接着部が並んでいる場合に比べて、搬送中における身と蓋の分離を効果的に抑えるうえでの接着部の配置及び接着剤の塗布量に関する自由度が高められる。
【００１３】
本開示における収容箱の他の態様は、前記身側仕切り部が、前記身側接合壁の底縁に沿って延びる矩形状をなし、前記蓋側仕切り部が、前記蓋側接合壁の底縁に沿って延びる矩形状をなしている。
【００１４】
本開示における収容箱の他の態様によれば、例えば身側仕切り部が身側接合壁の底縁に交差する方向に延びる矩形状をなしている場合に比べて、身の筒状部の周方向における接着部の長さを長くすることが可能である。その結果、身と蓋とをより強固に接合することが可能である。
【００１５】
本開示における収容箱の他の態様は、前記身側仕切り部が、前記２以上の接着部に対して各別に形成され、前記蓋側仕切り部が、前記２以上の接着部に対して各別に形成されている。
【００１６】
例えば、各接合壁において２つ以上の接着部が１つの仕切り部に接着されていると仕切り部の長さが接着部の並ぶ方向に長くなるため、収容箱の開封操作中に仕切り部の一方あるいは双方が破断してしまう虞がある。この点、本開示における収容箱の他の態様によれば、各接合壁には２以上の接着部に対して各別に仕切り部が形成されているため、開封操作中に仕切り部が破断しにくくなる。その結果、収容箱の開封操作を容易に行なうことが可能である。
【００１７】
本開示における収容箱の他の態様において、前記接着部は、前記身側接合壁の底縁の中央に対する両側に配設されている。
本開示における収容箱の他の態様によれば、例えば各接着部が底縁の中央よりも身側接合壁の一端側に形成されている場合に比べて、身側接合壁と蓋側接合壁とをずらすような力が身側接合壁の他端側に作用した際に接着部に作用するモーメントが抑えられる。その結果、身側接合壁と蓋側接合壁とをずらそうとする力に対する収容箱の機械的強度を効果的に高めることが可能である。
【００１８】
本開示における収容箱の他の態様は、前記身側接合壁及び前記蓋側接合壁のうちで外側に配置される接合壁には、当該接合壁の仕切り部に隣接する位置に当該仕切り部を仕切る切れ目線に連続する切れ目によって貫通孔が形成されており、前記身側接合壁及び前記蓋側接合壁のうちで内側に配置される接合壁の仕切り部が、前記貫通孔を通じて露出している。
【００１９】
本開示における収容箱の他の態様によれば、貫通孔に指を挿入することで内側の接合壁に形成されている仕切り部を操作することが可能である。その結果、外側に配置される接合壁に上記貫通孔が形成されていない場合に比べて、収容箱の開封操作を容易に行なうことが可能である。
【００２０】
本開示における収容箱の他の態様は、前記身側接合壁と前記蓋側接合壁とが２つの接着部で接合され、前記身側接合壁には、該身側接合壁の底縁に沿って延びる身側仕切り部が前記２つの接着部に対して各別に形成され、前記蓋側接合壁には、該蓋側接合壁の底縁に沿って延びる蓋側仕切り部が前記２つの接着部に対して各別に形成され、前記身側接合壁及び前記蓋側接合壁のうちで外側に配置される接合壁には、２つの仕切り部の間に前記貫通孔が形成されている。
【００２１】
本開示における収容箱の他の態様によれば、例えば、仕切り部の捲られる方向が相反する方向になるため、２つの仕切り部が同時期に捲られたとしても、収容箱には相反する方向の力が作用する。その結果、２つの仕切り部の捲られる方向が同じである場合に比べて、２つの仕切り部が同時期に捲られたときの収容箱の挙動が安定する。
【００２２】
本開示における収容箱の他の態様は、前記身側接合壁及び前記蓋側接合壁のうちで内側に配置される接合壁では、仕切り部が、互いに異なる方向に延びる切れ目が交互に配置され、且つ互いに隣接する前記切れ目が離れている鋸歯状の切れ目線によって仕切られている。
本開示における収容箱の他の態様によれば、内側に配置される接合壁の仕切り部が該接合壁の底縁に沿う直線状の切れ目線で仕切られている場合に比べて、身と蓋とを分離させるような力が収容箱に作用したときに仕切り部が裂けにくくなる。
【図面の簡単な説明】
【００２３】
【図１】本開示における収容箱を具体化した一実施の形態の斜視構造を示す分解斜視図。
【図２】互いに隣接する収容箱が結合される様子を模式的に示す図。
【図３】身側面壁の平面構造を示す平面図。
【図４】蓋側面壁の底縁側における平面構造を示す平面図。
【図５】トレイの展開構造を示す展開図。
【図６】カバーの展開構造を示す展開図。
【図７】蓋背面壁に対して身側面壁と蓋側面壁とをずらす力が作用した状態を模式的に示す図。
【図８】身側仕切り部及び蓋側仕切り部を含む断面構造を示す断面図であって、貫通孔に指が差し込まれた状態を示す図。
【図９】身側仕切り部及び蓋側仕切り部を含む断面構造を示す断面図であって、身側仕切り部の分離部が身側面壁から分離された状態を示す図。
【発明を実施するための形態】
【００２４】
以下、本開示にかかる収容箱を具体化した一実施の形態について、図１〜図９を参照して説明する。
図１に示されるように、収容箱１０は、有底の四角筒状をなす身としてのトレイ２０と、該トレイ２０を覆う有蓋の四角筒状をなすカバー５０とを備えている。これらのトレイ２０とカバー５０は、それぞれ段ボールからなる１枚のブランクスからなり、該ブランクスを折り曲げて適宜接着されることで形成される。本実施形態の収容箱１０には、液状体の封入された略円筒形状の容器１５がトレイ２０の短手方向に２列、トレイ２０の長手方向に３列に配列される。
【００２５】
トレイ２０は、頂部が開口した略直方体形状をなしており、矩形状をなす身底面壁２１には、該身底面壁２１の外縁から上方に向かって延びる多角筒状の筒状部２２が形成されている。筒状部２２は、身底面壁２１の正面縁から延びる身正面壁２３と、身底面壁２１の背面縁から延びる身背面壁２４と、身底面壁２１に罫線を介して連結されて身正面壁２３と身背面壁２４とを繋ぐ左右一対の身側面壁２５，２６と、を備えている。
【００２６】
身正面壁２３は、身底面壁２１に罫線を介して連結された正面フラップ２７と、左右一対の身側面壁２５，２６に罫線を介して連結された連結フラップ２８，２９とで構成され、連結フラップ２８，２９に対して正面フラップ２７が外側から接着されることで形成される。
【００２７】
同様に、身背面壁２４は、身底面壁２１に罫線を介して連結された背面フラップ３０と、左右一対の身側面壁２５，２６に罫線を介して連結された連結フラップ３１，３２とで構成され、連結フラップ３１，３２に対して背面フラップ３０が外側から接着されることで形成される。
【００２８】
身側接合壁としての身側面壁２５は、身正面壁２３及び身背面壁２４よりも上方まで延出形成されている。身側面壁２５には、底縁２５Ｂ側に該底縁２５Ｂの延出方向に並設された一対の身側仕切り部３５が身側仕切り部として形成されている。この一対の身側仕切り部３５は、底縁２５Ｂの延出方向に延びる略矩形状をなしている。各身側仕切り部３５は、分離部３７と回動部３８とで構成されており、分離部３７の外表面には、トレイ２０に対してカバー５０を接合するための接着剤であるホットメルトが塗布されることで接着部４５が形成される。なお、身側面壁２５と身側面壁２６とは同様の構成である。そのため、身側面壁２５と同様の符号を付すことにより身側面壁２６の詳細な説明は省略する。
【００２９】
カバー５０は、底部が開口した略直方体形状をなしており、矩形状をなす蓋頂面壁５１には、該蓋頂面壁５１の外縁から下方に向かって延びてトレイ２０を収容可能な多角筒状の筒状部５２が形成されている。筒状部５２は、蓋頂面壁５１の正面縁から延びる蓋正面壁５３と、蓋頂面壁５１の背面縁から延びる蓋背面壁５４と、蓋頂面壁５１に罫線を介して連結されて蓋正面壁５３と蓋背面壁５４とを繋ぐ左右一対の蓋側面壁５５，５６と、を備えている。
【００３０】
蓋正面壁５３は、蓋頂面壁５１に罫線を介して連結された正面フラップ５７と、左右一対の蓋側面壁５５，５６に罫線を介して連結された連結フラップ５８，５９とで構成され、連結フラップ５８，５９に対して正面フラップ５７が外側から接着されることで形成される。
【００３１】
同様に、蓋背面壁５４は、蓋頂面壁５１に罫線を介して連結された背面フラップ６０と、左右一対の蓋側面壁５５，５６に罫線を介して連結された連結フラップ６１，６２とで構成され、連結フラップ６１，６２に対して背面フラップ６０が外側から接着されることで形成される。
【００３２】
蓋側接合壁としての蓋側面壁５５は、蓋正面壁５３及び蓋背面壁５４よりも下方まで延出形成されており、底縁５５Ｂの両端部に切り欠き部６３が形成されている。また、蓋側面壁５５には、底縁５５Ｂの延出方向に並設された一対の蓋側仕切り部６５が蓋側仕切り部として形成されており、この一対の蓋側仕切り部６５は、底縁５５Ｂの延出方向に延びる略矩形状をなしている。なお、蓋側面壁５５と蓋側面壁５６とは同様の構成である。そのため、蓋側面壁５５と同様の符号を付すことにより蓋側面壁５６の詳細な説明は省略する。
【００３３】
そして、収容箱１０は、容器１５が収容されたトレイ２０をカバー５０で覆ったうえで、身側仕切り部３５の分離部３７と蓋側仕切り部６５とが接着部４５を介して接合されることで形成される。
【００３４】
また、図２にも示されるように、蓋背面壁５４を構成する背面フラップ６０には、蓋側面壁５５から突出する連結片６８が、背面フラップ６０の底縁６０Ｂから延びるミシン目状の切れ目線６９を介して一体的に形成されている。一方、蓋正面壁５３を構成する正面フラップ５７には、２つの収容箱１０を並べたときに、一方の収容箱１０の連結片６８と他方の収容箱１０の連結フラップ５８とが接合可能となるように切り欠き部７０が形成されている。
【００３５】
これにより、一方の収容箱１０の蓋側面壁５５に他方の収容箱１０の蓋側面壁５６を接触させた状態で、各収容箱１０の連結片６８を他方の収容箱１０の連結フラップ５８に接合させることによって、２つの収容箱１０からなる結合体が形成される。そして、結合体は、各収容箱１０の連結片６８が背面フラップ６０から切れ目線６９にて切り離されることによって分解される。
【００３６】
次に、身側面壁２５について図３を参照してさらに詳しく説明する。
図３に示されるように、一対の身側仕切り部３５は、身側面壁２５において該身側面壁２５の外縁よりも内側に配設される切れ目線、すなわち外縁に到達しない切れ目線によって各別に仕切られている。身側仕切り部３５は、底縁２５Ｂの延出方向に並設されており、該延出方向に直交する仮想線のうちで底縁２５Ｂの中央を通る仮想線７５を軸として対称となるように身正面壁２３側と身背面壁２４側とに形成されている。身側仕切り部３５は、収容箱１０の開封操作にともなってトレイ２０から分離される分離部３７と、分離部３７に対して他方の身側仕切り部３５側で隣接して開封操作時に開封者に押圧されることでトレイ２０の内側へと回動する回動部３８とを備えている。
【００３７】
分離部３７は、底縁２５Ｂの延出方向に沿って延びており、切れ目線７６，７７，７８，７９によって囲まれている。切れ目線７６は、上下方向に延びる不連続な２つの切れ目によって構成されている。切れ目線７７，７８は、切れ目線７６の上下端部から底縁２５Ｂの延出方向に沿うように延びており、互いに異なる方向に延びる切れ目が交互に配置され、且つ互いに隣接する切れ目が離れている鋸歯状をなしている。切れ目線７９は、他方の身側仕切り部３５側における切れ目線７７，７８の端部を繋ぐ切れ目であって、分離部３７と回動部３８とを仕切る切れ目である。
【００３８】
回動部３８は、身側面壁２５の内側面と、底縁２５Ｂの延出方向に配列された円筒形状の容器１５のうちで互いに隣接する２つの容器１５とによって囲まれる空間に臨む位置に配置される。回動部３８は、上記切れ目線７９、及び底縁２５Ｂの延出方向に延びる一対の切れ目線８０，８１によって囲まれている。切れ目線８０は、底縁２５Ｂの延出方向に延びる連続した切れ目であり、切れ目線８１は、他方の身側仕切り部３５側における端部が底縁２５Ｂに向かって湾曲する連続した切れ目である。回動部３８は、他方の身側仕切り部３５側の端部が切れ目線を介すことなく身側面壁２５に連続しており、開封操作時にその連続部分を軸として回動する。
【００３９】
次に、蓋側面壁５５について図４を参照してさらに詳しく説明する。
図４に示されるように、一対の蓋側仕切り部６５は、蓋側面壁５５において該蓋側面壁５５の外縁よりも内側に配設される切れ目線、すなわち外縁に到達しない切れ目線によって各別に仕切られている。一対の蓋側仕切り部６５は、底縁５５Ｂの延出方向に並設されており、底縁５５Ｂの延出方向に直交する仮想線のうちで底縁５５Ｂの中央を通る仮想線８４を軸として対称となるように蓋正面壁５３側と蓋背面壁５４側とに形成されている。
【００４０】
蓋側仕切り部６５は、他方の蓋側仕切り部で上下方向に延びる切れ目線８６、及び切れ目線８６の上下端から底縁５５Ｂの延出方向に沿って延びるミシン目状の切れ目線８７，８８によって囲まれている。蓋側仕切り部６５は、身側面壁２５の底縁２５Ｂと蓋側面壁５５の底縁５５Ｂとが隣接する位置までカバー５０にトレイ２０が挿入されたときに身側仕切り部３５の分離部３７に対向する位置に、身側面壁２５の分離部３７を覆うことが可能な大きさで形成されている。蓋側仕切り部６５は、他方の蓋側仕切り部６５とは反対側の端部が切れ目線を介すことなく蓋側面壁５５に連続している。
【００４１】
また、蓋側面壁５５には、一方の蓋側仕切り部６５に対する他方の蓋側仕切り部６５側に、切れ目線８６によって一方の側縁が形成される貫通孔８５が形成されている。この貫通孔８５は、開封操作の際にカバー５０の外側から身側仕切り部３５の回動部３８が操作可能となるように該回動部３８を露出させる。
【００４２】
次に、収容箱１０を構成するトレイ２０及びカバー５０について図５及び図６を参照してさらに説明する。上述したようにトレイ２０及びカバー５０の各々は、収容箱用紙材である１枚のブランクスから形成される。以下では、１枚のブランクスにおいて罫線で区画された領域をシート片という。
【００４３】
図５に示されるように、トレイ用ブランクスでは、同図５に示される領域９１に示されるように中芯が配設されている。トレイ用ブランクスでは、中芯の延びる方向に沿って、身側面壁２５、身底面壁２１、身側面壁２６となるシート片が、罫線９２，９３を介して連結されている。
【００４４】
身底面壁２１の下端には罫線を介して正面フラップ２７となるシート片が連結されており、身底面壁２１の上端には罫線を介して背面フラップ３０となるシート片が連結されている。身側面壁２５，２６の下端には、罫線を介して連結フラップ２８，２９となるシート片がそれぞれ連結されている。身側面壁２５，２６の上端には、罫線を介して連結フラップ３１，３２となるシート片がそれぞれ連結されている。身側面壁２５，２６となるシート片には、罫線９２，９３の延出方向に沿って、該シート片の外縁よりも内側に形成された切れ目線によって一対の身側仕切り部３５が仕切られている。
【００４５】
そして、上記トレイ用ブランクスを罫線に沿って折曲げて、連結フラップ２８，２９に対して正面フラップ２７が接着され、また、連結フラップ３１，３２に対して背面フラップ３０が接着されることにより有底四角筒状のトレイ２０が形成される。
【００４６】
図６に示されるように、カバー用ブランクスでは、同図６に示される領域９４のように中芯が配設されている。カバー用ブランクスでは、中芯の延びる方向に沿って、蓋側面壁５５、蓋頂面壁５１、蓋側面壁５６となるシート片が、罫線９５，９６を介して連結されている。
【００４７】
蓋頂面壁５１の下端には罫線を介して正面フラップ５７となるシート片が連結されており、蓋頂面壁５１の上端には罫線を介して背面フラップ６０となるシート片が連結されている。蓋側面壁５５，５６の下端には、罫線を介して連結フラップ５８，５９となるシート片がそれぞれ連結されている。蓋側面壁５５，５６の上端には、罫線を介して連結フラップ６１，６２となるシート片がそれぞれ連結されている。
【００４８】
正面フラップ５７には、連結フラップ５８側に切り欠き部７０が形成されている。背面フラップ６０には、連結フラップ６１の一部を切り欠くように、切れ目線６９を介して連結片６８が形成されている。
【００４９】
蓋側面壁５５，５６となるシート片には、底縁５５Ｂ，５６Ｂの延出方向に沿って、当該シート片の外縁よりも内側に形成された切れ目線によって一対の蓋側仕切り部６５が仕切られている。また、蓋側面壁５５，５６となるシート片には、各蓋側仕切り部６５に対して、他方の蓋側仕切り部６５側で隣接するように貫通孔８５が形成されている。
【００５０】
そして、上記カバー用ブランクスを罫線に沿って折曲げて、連結フラップ５８，５９に対して正面フラップ５７が接着され、また、連結フラップ６１，６２に対して背面フラップ６０が接着されることで有蓋の四角筒状のカバー５０が形成される。
【００５１】
次に上述したトレイ２０とカバー５０とで構成される収容箱１０の作用について図１、図７〜図９を参照して説明する。
図１にも示したように、蓋側仕切り部６５は、蓋側面壁５５の外縁よりも内側に配置された切れ目線８６〜８８で仕切られている。そのため、こうした蓋側仕切り部６５が例えば底縁５５Ｂに到達している切れ目線によって仕切られている場合に比べて、例えば搬送装置のガイド部材や収容箱１０を搬送する作業者の手が蓋側仕切り部６５に誤って引っ掛かってしまうことが抑えられる。すなわち、蓋側仕切り部６５が捲られる力が該蓋側仕切り部６５に対して直接的に作用することが抑えられる。
【００５２】
また、身側面壁と蓋側面壁との接着部が１つである収容箱においては、収容箱に身側面壁と蓋側面壁とをずらそうとする力が作用したときに、該接着部を支点としてトレイに対してカバーが回動しやすい。また、ホットメルトは、身側面壁と蓋側面壁とをずらす力よりも身側面壁と蓋側面壁とを引き離す力に対する耐力の方が高いという特性を有している。この点、収容箱１０では、身側面壁２５と蓋側面壁５５とが２つの接着部４５で接合されている。そのため、身側面壁と蓋側面壁とをずらそうとする力が収容箱１０に作用したとしても、その力が２つの接着部４５に分散される。その結果、身側面壁２５と蓋側面壁５５とが１つの接着部で接合されている場合に比べて、身側面壁２５に対して蓋側面壁５５がずれにくくなる。
【００５３】
つまり、収容箱１０においては、蓋側仕切り部６５を捲る力が蓋側仕切り部６５に対して直接的に作用することが抑えられ、且つ収容箱１０に作用する力が２つの接着部４５に分散される。その結果、搬送中におけるトレイ２０とカバー５０との分離が抑えられる。
【００５４】
また、例えば２つの接着部４５が身側面壁２５の高さ方向に並んでいる場合、底縁２５Ｂが長くなればなるほど、搬送中におけるトレイ２０とカバー５０との分離を効果的に抑えるうえでの接着部４５の配置及び接着剤の塗布量に関する自由度が低下する。
【００５５】
この点、収容箱１０では、接着部４５が身側面壁２５の底縁２５Ｂの延出方向で並んでいることから、接着部４５が身側面壁２５の高さ方向に並んでいる場合に比べて、搬送中におけるトレイ２０とカバー５０との分離を効果的に抑えるうえでの接着部４５の配置及び接着剤の塗布量に関する自由度が向上する。
【００５６】
また、身側仕切り部３５が身側面壁２５の底縁２５Ｂの延出方向に延びる矩形状をなしており、蓋側仕切り部６５が蓋側面壁５５の底縁５５Ｂの延出方向に延びる矩形状をなしている。そのため、身側仕切り部３５及び蓋側仕切り部６５が底縁２５Ｂ，５５Ｂの延出方向と交差する方向に延びている場合に比べて、トレイ２０の筒状部２２及びカバー５０の筒状部５２における周方向の長さを長くすることが可能である。その結果、接着部４５を上記周方向に大きくすることが可能であることから、トレイ２０とカバー５０とをより強固に接合することが可能である。
【００５７】
ここで、例えば、身側面壁２５において２つの接着部４５に接する身側仕切り部が１つだけである場合には、周方向における身側仕切り部の長さが上記身側仕切り部３５よりも長くなる。また、蓋側面壁５５において２つの接着部４５に接する蓋側仕切り部が１つだけである場合には、周方向における蓋側仕切り部の長さが上記蓋側仕切り部６５よりも長くなる。これらの場合、２つの接着部に対する開封操作を一度で行なうことが可能ではあるものの、各仕切り部が開封操作中に破断しやすくなる。
【００５８】
この点、収容箱１０では、２つの接着部４５に対して、身側仕切り部３５が各別に形成され、且つ蓋側仕切り部６５が各別に形成されている。そのため、身側面壁２５及び蓋側面壁５５の双方において仕切り部の長さが短くなることから、開封操作中に仕切り部が破断しにくくなる。その結果、開封操作を容易に行なうことが可能である。
【００５９】
また、図７に示されるように、例えば蓋背面壁５４に対して身側面壁２５と蓋側面壁５５とをずらすような力Ｆが集中的に作用すると、該力Ｆに基づくモーメントが主に蓋背面壁５４側の接着部４５に作用する。この際、２つの接着部４５が蓋正面壁５３側の端部に配設されているとなれば、蓋背面壁５４側の接着部４５に作用するモーメントが大きくなるため身側面壁２５と蓋側面壁５５とがずれやすくなる。
【００６０】
この点、収容箱１０では、２つの接着部４５が、蓋側面壁５５において蓋正面壁５３側の端部と蓋背面壁５４側の端部とに配設されている。そのため、上記力Ｆが作用したとしても、蓋背面壁５４側の接着部４５に作用するモーメントが小さくなることから、身側面壁２５と蓋側面壁５５とをずらそうとする力Ｆに対する収容箱１０の機械的強度が効果的に高められる。
【００６１】
すなわち、収容箱１０の側面壁における正面側と背面側とに接着部４５が配設されることによって、身側面壁２５と蓋側面壁５５とをずらそうとする力が蓋正面壁５３あるいは蓋背面壁５４に作用したとしても、身側面壁２５と蓋側面壁５５とのずれが効果的に抑えられる。
【００６２】
また、収容箱１０では、身側面壁２５と蓋側面壁５５とが接着部４５で接合される際、接着剤が塗布された身側面壁２５に対して蓋側面壁５５を押圧させた状態で接着部４５が加熱される。収容箱１０においては、接着部４５が蓋側面壁５５における蓋正面壁５３側と蓋背面壁５４側とに配設されているため、２つの接着部４５が蓋側面壁５５の中央部分に配設される場合に比べて、上記押圧時における身側面壁２５及び蓋側面壁５５の撓みが抑えられる。その結果、身側面壁２５と蓋側面壁５５との接合に関する確実性が高められることから収容箱１０の生産性が向上する。
【００６３】
また、蓋側面壁５５には、蓋側仕切り部６５に隣接する位置に、身側仕切り部３５の回動部３８を露出させる貫通孔８５が形成されている。そのため、収容箱１０は、以下のようにして開封される。
【００６４】
まず、図８に示されるように、例えば親指を貫通孔８５に差し込んで身側面壁２５の回動部３８を押圧する。このとき、親指は、身側面壁２５の内側面と円筒形状をなす２つの容器１５とに囲まれた空間に向かって差し込まれることから、親指によって押圧された回動部３８が上記空間内を回動する。
【００６５】
そして、図９に示されるように、身側仕切り部３５の分離部３７及び蓋側仕切り部６５が貫通孔８５の反対側へ捲られることによって、接着部４５及び分離部３７がトレイ２０から分離される。こうした開封作業を各接着部４５に対して行なうことによって、収容箱１０が開封される。
【００６６】
すなわち、カバー５０に貫通孔８５が形成されていることによって、身側仕切り部３５の分離部３７及び回動部３８を作業者が直接操作することが可能となる。その結果、カバー５０に貫通孔８５が形成されていない場合に比べて、収容箱１０の開封操作を容易に行なうことが可能である。
【００６７】
また、収容箱１０においては、１つの蓋側面壁５５に形成された２つの蓋側仕切り部６５は、開封操作時に相反する方向に捲られる。そのため、２つの蓋側仕切り部６５が同時期に捲られたとしても、収容箱１０には、相反する方向の力が作用する。その結果、２つの蓋側仕切り部の捲られる方向が同じ方向である場合に比べて、開封操作中における収容箱１０の挙動が安定する。
【００６８】
また、身側仕切り部３５の分離部３７は、鋸歯状の切れ目線７７，７８で仕切られている。そのため、分離部３７が底縁２５Ｂの延出方向に沿って延びる切れ目線によって仕切られている場合に比べて、身側面壁２５と蓋側面壁５５とをずらすような力が収容箱１０に作用したとしても、分離部３７が身側面壁２５から裂けにくくなる。その結果、搬送中におけるトレイ２０とカバー５０との分離がさらに抑えられる。
【００６９】
以上説明したように、本実施形態の収容箱１０、及び収容箱用紙材によれば、以下に列挙する効果を得ることができる。
（１）収容箱１０では、蓋側仕切り部６５が該蓋側面壁５５の外縁よりも内側に配置される切れ目線８６〜８８によって仕切られ、且つ身側面壁２５と蓋側面壁５５とが２つの接着部４５によって接合されている。その結果、搬送中におけるトレイ２０とカバー５０との分離が抑えられる。
【００７０】
（２）収容箱１０では、接着部４５が身側面壁２５の底縁２５Ｂの延出方向で並んでいることから、搬送中におけるトレイ２０とカバー５０との分離を効果的に抑えるうえでの接着部４５の配置及び接着剤の塗布量に関する自由度が向上する。
【００７１】
（３）収容箱１０では、身側仕切り部３５が底縁２５Ｂの延出方向に延びる矩形状をなしており、蓋側仕切り部６５が底縁５５Ｂの延出方向に延びる矩形状をなしている。その結果、接着部を筒状部の周方向に大きくすることが可能であることから、トレイ２０とカバー５０とをより強固に接合することが可能である。
【００７２】
（４）収容箱１０では、２つの接着部４５に対して、身側仕切り部３５が各別に形成され、且つ蓋側仕切り部６５も各別に形成されている。その結果、収容箱１０の開封操作を容易に行なうことが可能である。
【００７３】
（５）身側面壁と蓋側面壁とを接合する２つの接着部は、身正面壁２３側と身背面壁２４側とに配設されている。その結果、身側面壁２５と蓋側面壁５５とをずらそうとする力に対する収容箱１０の機械的な強度を効果的に高めることが可能である。
【００７４】
（６）また、身側面壁２５と蓋側面壁５５との接合時に身側面壁２５及び蓋側面壁５５の撓みが抑えられることから、身側面壁２５と蓋側面壁５５との接合に関する確実性が高められて収容箱１０の生産性が向上する。
【００７５】
（７）蓋側面壁５５には、蓋側仕切り部６５に隣接する位置に、身側仕切り部３５の回動部３８を露出させる貫通孔が形成されている。その結果、収容箱１０の開封操作を容易に行なうことが可能である。
【００７６】
（８）また、身側仕切り部３５の回動部３８は、身側面壁２５、円筒形状の２つの容器１５、これらによって囲まれる空間に臨む位置に形成されている。そのため、開封操作時に、身側仕切り部３５の分離部３７及び蓋側仕切り部６５を摘むことが可能な位置まで回動部３８を回動させることが高い確率の下で実現される。その結果、収容箱１０の開封操作がより容易なものとなる。
【００７７】
（９）収容箱１０では、１つの蓋側面壁５５に形成された２つの蓋側仕切り部６５は、開封操作時に相反する方向に捲られる。その結果、２つの蓋側仕切り部６５が同時期に捲られたとしても収容箱１０の挙動を安定させることが可能である。
【００７８】
（１０）身側仕切り部３５の分離部３７は、鋸歯状の切れ目線によって仕切られている。その結果、身側面壁２５と蓋側面壁５５とをずらすような力が収容箱１０に作用したとしても、分離部３７が裂けにくくなる。
【００７９】
（１１）蓋側面壁５５には、底縁５５Ｂの両端部に切り欠き部６３が形成されている。そのため、収容箱１０の底側における隅部に衝撃が加わったとしても、その衝撃がトレイ２０に作用する。その結果、こうした切り欠き部６３が形成されていないカバーで構成された収容箱に比べて、トレイ２０とカバー５０とを分離させようとする力が収容箱１０に作用する機会が少なくなる。
【００８０】
（１２）カバー５０の背面フラップ６０に連結片６８が形成され、トレイ２０の正面フラップ５７に切り欠き部７０が形成されている。その結果、２つの収容箱１０からなる結合体が形成されることから、収容箱１０の搬送効率が向上する。
【００８１】
なお、上記実施形態は以下のように変更してもよい。
・収容箱１０において、身側面壁２５に形成される身側仕切り部３５は、鋸歯状の切れ目線７７，７８によって仕切られるものに限られず、例えば身側面壁２５の底縁２５Ｂの延出方向に沿って延びる直線状の切れ目線で仕切られていてもよい。
【００８２】
・開封操作において、２つの蓋側仕切り部６５が捲られる方向は、相反する方向でなくてもよい。
・収容箱１０の蓋側面壁５５に形成された貫通孔８５は、身側仕切り部３５の回動部３８のみならず、回動部３８及び分離部３７の一部を露出させるものであってもよい。
【００８３】
・収容箱１０の蓋側面壁５５は、身側仕切り部３５の回動部３８を露出させる貫通孔８５が割愛された構成であってもよい。
・接着部４５は、２以上あればよい。すなわち、身側面壁２５の底縁２５Ｂの中央に対する両側に配設される構成に限られるものでなく、例えば身側面壁２５における身正面壁２３側に偏って配置されていてもよい。
【００８４】
・身側面壁２５には、２以上の接着部４５に対して身側仕切り部３５が各別に形成されていなくてもよく、複数の接着部４５に対して１つの身側仕切り部が形成されていてもよい。
【００８５】
・蓋側面壁５５には、２以上の接着部４５に対して蓋側仕切り部６５が各別に形成されていなくてもよく、複数の接着部４５に対して１つの蓋側仕切り部が形成されていてもよい。
【００８６】
・身側面壁２５に形成される身側仕切り部３５は、矩形状に限らず、円形状や三角形状、楕円形状であってもよく、その延出方向も身側面壁２５の底縁２５Ｂに沿った方向に限られるものでもない。
【００８７】
・蓋側面壁５５に形成される蓋側仕切り部６５は、矩形状に限らず、円形状や三角形状、楕円形状であってもよく、その延出方向も蓋側面壁５５の底縁５５Ｂに沿った方向に限られるものでもない。
【００８８】
・２以上の接着部は、互いに隣接する接着部が身側面壁２５の底縁２５Ｂに交差する方向に並んでいてもよい。
・身側仕切り部３５は、分離部３７のみで構成されていてもよい。
・接着部は、身側面壁２５と蓋側面壁５５とが接合可能なものであれば、ホットメルトからなるものに限られない。
【００８９】
・収容箱は、内側に配置される接合壁に対して身側仕切り部３５と同様の構成の仕切り部が形成され、且つ外側に配置される接合壁に対して蓋側仕切り部６５と同様の構成の仕切り部が形成されていればよい。すなわち、外側に配置される筒状体は、身の筒状体であってもよいし、蓋の筒状体であってもよい。
【００９０】
・収容箱は、段ボールに限らず、その時々の仕様に応じて厚紙によって形成されてもよい。
【符号の説明】
【００９１】
１０…収容箱、１５…容器、２０…トレイ、２１…身底面壁、２２…筒状部、２３…身正面壁、２４…身背面壁、２５…身側面壁、２５Ｂ…底縁、２６…身側面壁、２７…正面フラップ、２８，２９…連結フラップ、３０…背面フラップ、３１，３２…連結フラップ、３５…身側仕切り部、３７…分離部、３８…回動部、４５…接着部、５０…カバー、５１…蓋頂面壁、５２…筒状部、５３…蓋正面壁、５４…蓋背面壁、５５…蓋側面壁、５５Ｂ…底縁、５６…蓋側面壁、５６Ｂ…底縁、５７…正面フラップ、５８，５９…連結フラップ、６０…背面フラップ、６１，６２…連結フラップ、６３…切り欠き部、６５…蓋側仕切り部、６８…連結片、６９…切れ目線、７０…切り欠き部、７５，８４…仮想線、７６，７７，７８，７９，８０，８１，８６，８７，８８…切れ目線、８５…貫通孔、９１，９４…領域、９２，９３，９５，９６…罫線。
【図１】
2014040253.tif 000003
【図２】
2014040253.tif 000004
【図３】
2014040253.tif 000005
【図４】
2014040253.tif 000006
【図５】
2014040253.tif 000007
【図６】
2014040253.tif 000008
【図７】
2014040253.tif 000009
【図８】
2014040253.tif 000010
【図９】
2014040253.tif 000011